(57)【要約】      （修正有）【課題】本発明は見えない耳や首の後ろ周りを紫外線から防止することができる布生地を挟んだ日よけシェードを提供する。【解決手段】所謂耳あてのアーチ部分３を２枚の板状で形成し、布生地を挟み込み後頭部に装着することにより布生地が耳と首回りの汗を吸収し且つ紫外線から防止し着脱自在にすることにより洗えて衛生に繰り返し使うことができる。【選択図】図１
2019183362.tif 000002
【特許請求の範囲】
【請求項１】
日よけシェードであって、ドーナツ状に空洞化された左右一対の耳あて部（２）と前記一対の耳あてをヒンジで接続するアーチ部（３）を備え、前記アーチ部（３）の全体に亘って布生地が装着されていることを特徴とする日よけシェード。
【請求項２】
前記一対の耳あて部は、それぞれ外側から内側方向に直角に折り畳み収納することを特徴とする請求項１記載の日よけシェード。
【請求項３】
前記耳あて部（２）は布生地のカバーで覆われ、前記アーチ部（３）とヒンジで接続され、２枚の板状部材で形成したクリップ状から成るアーチ部（３）で布生地を挟み着脱自在に装着をすることを特徴とする請求項１記載の日よけシェード。
【請求項４】
アーチ部の板状部材は、ばね口金状を成し、両端より中央方向へ圧力を加え、開口部で布生地を挟み着脱自在に装着することを特徴とする請求項１記載の日よけシェード。
【請求項５】
布生地（５）は３枚の短冊状を成し、真中の短冊状片を他の短冊状片よりも幅広にし、裾にワイヤー（９）を装着したことを特徴とする請求項１記載の日よけシェード。
【請求項６】
前記布生地を挟んだアーチ部は首部の後側に装着し、前記布生地の短冊状に形成した左右の短冊状片を首部の前側で結わえることを特徴とする請求項５記載の日よけシェード。
【発明の詳細な説明】
【技術分野】
【０００１】  本発明は耳や首回りの汗や紫外線を直接浴びないように後頭部に挟んだ布生地を着脱自在にした日よけシェードに関するものである
【背景技術】
【０００２】  従来、外出や家事の際帽子をかぶったり、日焼け止めクリームを塗ったり、首にはタオルをかけたり日傘を使ったりしながら紫外線から体を守っていた。
【先行技術文献】
【特許文献】
【０００３】
【特許文献１】実用新案登録番号第３０２５５５４号公報
【特許文献２】
【発明の概要】
【発明が解決しようとする課題】
【０００４】従来の紫外線対策では、動いている間に首にかけていたタオルがずれたり、帽子をかぶるとヘアスタイルがくずれたり、日傘は手に持つ負担大と欠点が多かった。【０００５】  また自転車に乗るとき日傘の利用は不可能で強風で帽子が飛ばされ、耳や首回りの紫外線対策に欠けていた。
【課題を解決するための手段】
【０００６】  第１に日よけシェードは、従来の耳あてをドーナツ状に空洞化し、涼しく通気性よいもので形成し、耳あて部分を布生地のカバーで覆い、２枚で構成されたアーチ部分に着脱自在な布生地を挟み固定できるようにし、後頭部に装着することで耳と首回りを紫外線から守ることを特徴とするものである。【０００７】  第２に２枚で構成されたアーチ部分は布生地が滑り落ちないように加工し、後頭部髪の生え際に装着することで汗を吸収し髪の毛に汗が付着しにくいこと、布生地の裾にソフトワイヤーなどを使用し、風で捲れるのを防止することを特徴とするものである。【０００８】    第３に日よけシェードの耳あて部分とアーチの結合部分は回転ヒンジを使うことで折りたためるようにし、かさばる荷物から回避できることを特徴とするものである。
【発明の効果】
【０００９】  以上、述べたように日よけシェードは耳あて部分を通気性良くするようドーナツ状に空洞化しカバーで覆うことにより外部音の遮断を防止し安全に着用することができる。【００１０】  アーチ部分を柔らかいばね口金やクリップ形状にして、布生地を簡単に装着でき、汗を吸収できるようにしたので汚れたら交換可能で汗ばんだ首回りから不快感を解消し衛生的に使用できる。【００１１】  ヘアスタイルはアーチ部を後頭部髪の生え際に装着するため、スタイル崩れの悩みを解消することができる。
耳あて部とアーチの結合部は回転ヒンジにより耳当てを内側に折りたためるようにしたため、カバンの隙間に収納することができる。
【図面の簡単な説明】
【００１２】
【図１】  日よけシェード全体の正面図
【図２】  後方図
【図３】  真上図
【図４】  側面図
【図５】  図１布生地５を前首で結んだ図
【図６】  日よけシェードのアーチの形状ばね口金型拡大図
【図７】  日よけシェードのアーチの形状クリップ型の図
【図８】  図６のアーチ部分に挟み込むストレート形状の布生地図
【図９】  図６のアーチ部分に挟み込む短冊状の布生地図
【図１０】  図７のアーチ部分に挟み込むストレート形状の布生地図
【図１１】  図７のアーチ部分に挟み込む短冊状の布生地図
【図１２】  耳あてを覆うカバー図
【図１３】  耳あて部分側面図
【図１４】  日よけシェードを折りたたんだ図
【発明を実施するための形態】
【００１３】  本発明を図１から図１４に基づいて以下の如く説明すると、まず図１において示したように日よけシェードは外観上所謂防寒用耳あてと称する趣を有する特徴がありドーナツ状に空洞化された左右一対の耳あて部２と耳あてを接続するアーチ部３からなり、アーチ部は２枚で形成され後頭部に装着する構造とし、アーチ部３で布生地を挟み込めるようにした、耳と首回りを一体型で紫外線から遮断するものである。
【００１４】  ワイヤーで形つけられた耳あて部２に中心をドーナツ状に空洞化したスポンジ等で覆い図４の２に示したように装着することで外部音が遮断されないような構造とし、図１２の１３のように着脱自在のカバーを着用する。
【００１５】  アーチ部は図６のばね口金型や、図７のクリップ型に示したような構造で２枚の板状部材の開いた間で布生地を挟めるようにした。
【実施例】
【００１６】  図２に示したように３のアーチは２タイプあり、図６に示した様にばね口金型は２枚のばね口金類でできており、使い方は両端より内側に圧力を加えて開き、布生地図８又は９を挟み込む。もう１つのアーチは図７に示した様にクリップ型をしており弾力性のある樹脂や金属で形成し、アーチ部の片方を支点としてクリップの上アゴ７と下アゴ８を開き，布生地図１０又は１１を挟み込む。布生地の上部襟部分１０はクリップの下アゴを通すことができるように筒状に折り返し袋縫いで形成する。そして筒状に形成した折り返し部１０に図７の８を挿入する。上アゴ７には布生地がずれないよう山型のすべり止めを付けた。【００１７】  布生地の型は２タイプあり、ストレート型図８と１０，短冊型図９と１１の２種類とし、どちらも後方姿は図２のよう同じになり、短冊型は図５のように３枚の短冊にした布生地の両端を前首でスカーフ状に結べるようにし布生地は必要に応じて型を選べるようにした。【００１８】  図４は日よけシェードを横から示しており、耳あて部に耳カバー図１２の１３をつけ布生地を挟んだアーチ部分を後頭部髪の生え際を位置として髪の毛が布生地外側にくるように装着する。
布生地の裾は９の様に細い袋縫いにし、ソフトワイヤー等を通し、風で布生地が捲れることを防ぐ。
耳あて２とアーチ３は回転ヒンジ図１４の４で結合され、使用後は耳あてを内側に折りたたみコンパクトに持ち運べるようにした。
【符号の説明】
【００１９】１  日よけシェード
２  耳あて部分
３  アーチ
４  耳当てとアーチの結合部分（回転ヒンジ）
５  布生地
６  ばね口金
７  クリップの上アゴ
８  クリップの下アゴ
９  ソフトワイヤーの入った布生地の裾
１０  布生地５の下アゴを通す筒状袋縫い部分
１１  布生地のストレート型
１２  布生地の短冊型
１３  ドーナツ状に空洞化した耳あてを覆うカバー
【図１】
2019183362.tif 000003
【図２】
2019183362.tif 000004
【図３】
2019183362.tif 000005
【図４】
2019183362.tif 000006
【図５】
2019183362.tif 000007
【図６】
2019183362.tif 000008
【図７】
2019183362.tif 000009
【図８】
2019183362.tif 000010
【図９】
2019183362.tif 000011
【図１０】
2019183362.tif 000012
【図１１】
2019183362.tif 000013
【図１２】
2019183362.tif 000014
【図１３】
2019183362.tif 000015
【図１４】
2019183362.tif 000016
【手続補正書】
【提出日】令和1年7月3日(2019.7.3)
【手続補正１】
【補正対象書類名】特許請求の範囲
【補正対象項目名】全文
【補正方法】変更
【補正の内容】
【特許請求の範囲】
【請求項１】
日よけシェードであって、ドーナツ状に空洞化された左右一対の耳あて部（２）と前記一対の耳あてをヒンジで接続するアーチ部（３）を備え、前記アーチ部（３）の全体に亘って布生地を挟み、後頭部下側、髪の生え際に装着することにより耳、首回りを一体型で紫外線から遮断することを特徴とする日よけシェード。
【請求項２】
前記一対の耳あて部（２）は、外側から内側方向に直角に折り畳み収納することを特徴とする請求項１記載の日よけシェード。
【請求項３】
前記耳あて部（２）前記布生地（５）のカバーで覆われ、前記アーチ部（３）とヒンジで接続され、２枚の板状部材で形成したクリップ状から成る前記アーチ部（３）で前記布生地（５）の上側を挟み着脱自在に装着をすることを特徴とする請求項１記載の日よけシェード。
【請求項４】
前記アーチ部（３）の板状部材は、ばね口金状を成し、両端より中央方向へ圧力を加え、開口部で前記布生地（５）を挟み着脱自在に装着することを特徴とする請求項１記載の日よけシェード。
【請求項５】
前記布生地（５）は３枚の短冊状を成し、真中の短冊状片を両端の短冊状片よりも幅広にし、裾にワイヤー（９）を装着したことを特徴とする請求項１記載の日よけシェード。
【請求項６】
前記布生地（５）を挟んだ前記アーチ部（３）は、前記耳あて部（２）を両耳に当て、後頭部下側に装着し、前記布生地（５）の短冊状に形成した左右の短冊状片を首部の前側で結わえ、首回りを紫外線から遮断することを特徴とする請求項１と３．４．５いずれか１項記載の日よけシェード。
【手続補正２】
【補正対象書類名】明細書
【補正対象項目名】０００１
【補正方法】変更
【補正の内容】
【０００１】  本発明は耳や首回りの汗や紫外線を直接浴びないように耳にカバーと後頭部下、髪の生え際に挟んだ布生地を着脱自在にした日よけシェードに関するものである。
【手続補正３】
【補正対象書類名】明細書
【補正対象項目名】０００７
【補正方法】変更
【補正の内容】
【０００７】  第２に２枚で構成されたアーチ部分は布生地が滑り落ちないように加工し、後頭部下、髪の生え際に装着することで布生地が汗を吸収し髪の毛に汗が付着しにくいこと、短冊状にした布生地真中の裾にソフトワイヤーなどを使用し、風で捲れるのを防止することを特徴とするものである。
【手続補正４】
【補正対象書類名】明細書
【補正対象項目名】００１３
【補正方法】変更
【補正の内容】
【００１３】  本発明を図１から図１４に基づいて以下の如く説明すると、まず図１において示したように日よけシェードは外観上所謂防寒用耳あてと称する趣を有する特徴がありドーナツ状に空洞化された左右一対の耳あて部２と耳あてを接続するアーチ部３からなり、アーチ部は２枚で形成され後頭部下、髪の生え際に装着する構造とし、アーチ部３で布生地を挟み込めるようにした、耳と首回りを一体型で紫外線から遮断するものである。
【手続補正５】
【補正対象書類名】明細書
【補正対象項目名】００１８
【補正方法】変更
【補正の内容】
【００１８】  図４は日よけシェードを横から示しており、耳あて部に耳カバー図１２の１３をつけ布生地を挟んだアーチ部分を後頭部下の髪の生え際を位置として髪の毛が布生地外側にくるように装着する。
布生地の裾は９の様に細い袋縫いにし、ソフトワイヤー等を通し、風で布生地が捲れることを防ぐ。
耳あて２とアーチ３は回転ヒンジ図１４の４で結合され、使用後は耳あてを内側に折りたたみコンパクトに持ち運べるようにした。